(57)【要約】【課題】    薬剤を使用することなく、濾過膜部に、被処理水中の懸濁物質が付着することを防止し、また、濾過膜部に付着した懸濁物質を取り除くことにより、濾過膜部の目詰まりを防止する方法を提供する。【解決手段】    被処理水を濾過する過程で濾過膜部３に発生した懸濁物質濃縮排水を所定間隔毎にブローすることにより濾過膜部３の目詰まりを防止する方法であって、濾過膜部３の上流側の給水ライン２ａと濾過膜部３に接続された懸濁物質濃縮排水ライン６を循環ライン９で結んで循環回路１０を構成し、懸濁物質濃縮排水のブローの前に、濾過膜部３の上流側の給水ライン２ａ、濾過膜部３の下流側の処理水ライン２ｂ及び懸濁物質濃縮排水ライン６を閉じ、循環回路１０内で懸濁物質濃縮排水を強制循環させた後、濾過膜部３の上流側の給水ライン２ａ及び懸濁物質濃縮排水ライン６を開き、懸濁物質濃縮排水をブローすることにより、濾過膜部３の膜面に付着している懸濁物質を循環水の流速により膜面から剥離し、剥離した懸濁物質を懸濁物質濃縮排水とともに懸濁物質濃縮排水ライン６から排出する。【選択図】  図１
2006007131.tif 000002
【特許請求の範囲】
【請求項１】
被処理水を濾過する過程で濾過膜部に発生した懸濁物質濃縮排水を所定間隔毎にブローすることにより濾過膜部の目詰まりを防止する方法であって、
前記濾過膜部の上流側の給水ラインと濾過膜部に接続された懸濁物質濃縮排水ラインを循環ラインで結んで循環回路を構成し、前記懸濁物質濃縮排水のブローの前に、前記濾過膜部の上流側の給水ライン、濾過膜部の下流側の処理水ライン及び懸濁物質濃縮排水ラインを閉じ、前記循環回路内で懸濁物質濃縮排水を強制循環させた後、前記濾過膜部の上流側の給水ライン及び懸濁物質濃縮排水ラインを開き、懸濁物質濃縮排水をブローすることを特徴とする濾過膜部の目詰まり防止方法。
【請求項２】
前記懸濁物質濃縮排水のブロー時に、懸濁物質濃縮排水の濁度を看視し、濁度が一定となった時点でブローを停止することを特徴とする請求項１記載の濾過膜部の目詰まり防止方法。
【請求項３】
前記懸濁物質濃縮排水のブロー開始直後、懸濁物質濃縮排水の濁度を検知し、該濁度が所定値を超えた場合、次の懸濁物質濃縮排水を強制循環させ懸濁物質濃縮排水をブローする一連の運転の間隔、及び／又は懸濁物質濃縮排水をブローする時間を変更することを特徴とする請求項１記載の濾過膜部の目詰まり防止方法。
【請求項４】
前記懸濁物質濃縮排水のブロー開始直後、懸濁物質濃縮排水の濁度を検知し、該濁度に応じて、次の懸濁物質濃縮排水を強制循環させ懸濁物質濃縮排水をブローする一連の運転の間隔及び／又は懸濁物質濃縮排水をブローする時間を変更することを特徴とする請求項１記載の濾過膜部の目詰まり防止方法。
【発明の詳細な説明】
【技術分野】
【０００１】
本発明は、ポンプにより供給される原水（被処理水）を濾過する濾過膜部に、被処理水中の懸濁物質が付着することによる濾過膜部の目詰まり防止方法に関する。
【背景技術】
【０００２】
従来から原水に含まれている溶存物質やゴミや汚れ物質等の懸濁物質を除去する手段として、濾過膜部を通して濾過する処理が知られている。濾過膜部に用いられている濾過膜として、限界濾過膜（ＵＦ膜）、精密濾過膜（ＭＦ膜）、ナノ濾過膜（ＮＦ膜）、逆浸透膜（ＲＯ膜）が一般に知られている。これらの濾過膜は濾過機能が異なり、このなかでは限界濾過膜の濾過機能が最も低く、逆浸透膜の濾過機能が最も高い。これらの濾過膜は、処理水の用途、例えば、蒸気ボイラ、温水ボイラ、クーリングタワー、給湯器等の熱機器、半導体製造、電子部品の洗浄、医療器具の洗浄等、処理水に求められる濾過度合いに応じて選択され用いられている。
【０００３】
前記濾過膜部による原水の濾過の過程で、濾過膜部に懸濁物質濃縮排水が発生し、この懸濁物質濃縮排水は懸濁物質濃縮排水ラインから排出されるが、時間の経過とともに、濾過膜部付近で原水中に含まれている前記懸濁物質の濃度が高くなり、濾過膜部の膜面にファウリングやスケーリングといった現象による汚れが発生する。
【０００４】
ファウリングとは、原水中の懸濁物質成分、コロイド成分、有機成分等が膜面に沈着、吸着する現象をいい、スケーリングとは、原水中に溶解している溶存物質が溶解度以上に濃縮されることで膜面に析出、付着する現象をいう。
【０００５】
このように、濾過膜部の膜面にファウリングやスケーリングといった現象による汚れが発生すると、濾過膜部に目詰まりが発生し、膜差圧の上昇、透過水量（流束）の低下による処理水の回収率の低下、透過水質の低下といった事態が生じる。
【０００６】
そこで、前記原水中の懸濁物質による濾過膜部の目詰まりを防止する手段として、定期的に薬剤を投入し濾過膜部を洗浄することにより、濾過膜部の目詰まりを防止することが知られている（特許文献１参照）。
【特許文献１】特開平５−２２０４８０号公報
【発明の開示】
【発明が解決しようとする課題】
【０００７】
しかし、上記の濾過膜部の目詰まり防止方法によれば、濾過膜部の目詰まりを防止することはできるものの、薬剤を投入し濾過膜部を洗浄する手段では、この薬剤の一部が処理水に取り込まれる可能性があり、処理水の利用の障害となる場合がある。また、処理水の利用後の排出に際し、前記薬剤を除去するための特別な処理を施さない限り、そのまま下水等に排出すると、環境汚染を引き起こすおそれがある、といった問題があった。
【０００８】
本発明者等は、かかる問題を解決する手段として、薬剤を使用することなく、濾過膜部に原水中の懸濁物質が付着することを防止するとともに、濾過膜部に付着した懸濁物質を取り除くことについて研究を重ね、原水を濾過する過程で濾過膜部に発生した懸濁物質濃縮排水を所定間隔を空けて断続的にブローすることにより解決できることを見出し、先に出願した（特願２００４−９７８１２号）。
【０００９】
本発明の目的は、薬剤を使用することなく、濾過膜部に原水、即ち被処理水中の懸濁物質が付着することをより効果的に防止し、また、濾過膜部に付着した懸濁物質をより効果的に取り除くことにより、濾過膜部の目詰まりを防止する濾過膜部の目詰まり防止方法を提供することにある。
【課題を解決するための手段】
【００１０】
上記目的を達成するために、請求項１記載の発明に係る濾過膜部の目詰まり防止方法は、被処理水を濾過する過程で濾過膜部に発生した懸濁物質濃縮排水を所定間隔毎にブローすることにより濾過膜部の目詰まりを防止する方法であって、前記濾過膜部の上流側の給水ラインと濾過膜部に接続された懸濁物質濃縮排水ラインを循環ラインで結んで循環回路を構成し、前記懸濁物質濃縮排水のブローの前に、前記濾過膜部の上流側の給水ライン、濾過膜部の下流側の処理水ライン及び懸濁物質濃縮排水ラインを閉じ、前記循環回路内で懸濁物質濃縮排水を強制循環させた後、前記濾過膜部の上流側の給水ライン及び懸濁物質濃縮排水ラインを開き、懸濁物質濃縮排水をブローすることを特徴とする。
【００１１】
このように、濾過膜部の上流側の給水ラインと濾過膜部に接続された懸濁物質濃縮排水ラインを循環ラインで結んで循環回路を構成し、懸濁物質濃縮排水のブローの前に、濾過膜部の上流側の給水ライン、濾過膜部の下流側の処理水ライン及び懸濁物質濃縮排水ラインを閉じ、前記循環回路内で懸濁物質濃縮排水を強制循環させると、濾過膜部の膜面に付着している懸濁物質が循環水の流速により膜面から剥離される。この後、前記濾過膜部の上流側の給水ライン及び懸濁物質濃縮排水ラインを開き、懸濁物質濃縮排水をブローすると、前記剥離された懸濁物質は懸濁物質濃縮排水とともに懸濁物質濃縮排水ラインから排出することができる。
【００１２】
また、前記のように、濾過膜部の膜面に付着している懸濁物質を膜面から剥離する際に被処理水を供給することなく、懸濁物質濃縮排水を循環させることにより膜面に付着している懸濁物質を剥離するので、ブロー用としての被処理水の排出量の小量化、即ち捨て水の節約が図れ、経済的である。
【００１３】
請求項２記載の発明に係る濾過膜部の目詰まり防止方法は、請求項１に記載の、前記懸濁物質濃縮排水のブロー時に、懸濁物質濃縮排水の濁度を看視し、濁度が一定となった時点でブローを停止することを特徴とする。
【００１４】
このようにすると、ブロー用としての被処理水の無駄な排出を防止でき、被処理水の排出量の小量化が図れる。
【００１５】
請求項３記載の発明に係る濾過膜部の目詰まり防止方法は、請求項１に記載の、前記懸濁物質濃縮排水のブロー開始直後、懸濁物質濃縮排水の濁度を検知し、該濁度が所定値を超えた場合、次の懸濁物質濃縮排水を強制循環させ懸濁物質濃縮排水をブローする一連の運転の間隔、及び／又は懸濁物質濃縮排水をブローする時間を変更することを特徴とする。
【００１６】
このように、懸濁物質濃縮排水のブロー開始直後、懸濁物質濃縮排水の濁度を検知することにより、濾過膜部の膜面への懸濁物質の付着度合いを知ることができ、該濁度が所定値を超えた場合、次の懸濁物質濃縮排水を強制循環させ懸濁物質濃縮排水をブローする一連の運転の間隔及び／又は懸濁物質濃縮排水をブローする時間を変更することにより、濾過膜部の膜面への懸濁物質の付着が極力少なくなり、懸濁物質による濾過膜部の目詰まりを早期に解消することができるものとなる。
【００１７】
請求項４記載の発明に係る濾過膜部の目詰まり防止方法は、請求項１に記載の、前記懸濁物質濃縮排水のブロー開始直後、懸濁物質濃縮排水の濁度を検知し、該濁度に応じて、次の懸濁物質濃縮排水を強制循環させ懸濁物質濃縮排水をブローする一連の運転の間隔及び／又は懸濁物質濃縮排水をブローする時間を変更することを特徴とする。
【００１８】
このように、懸濁物質濃縮排水のブロー開始直後、懸濁物質濃縮排水の濁度を検知することにより、濾過膜部の膜面への懸濁物質の付着度合いを知ることができ、該濁度に応じて、次の懸濁物質濃縮排水を強制循環させ懸濁物質濃縮排水をブローする一連の運転の間隔及び／又は懸濁物質濃縮排水をブローする時間を変更することにより、濾過膜部の膜面への懸濁物質の付着が極力少なくなり、懸濁物質による濾過膜部の目詰まりを早期に解消することができるとともに、ブロー用としての被処理水の無駄な排出を防止でき、被処理水の排出量の小量化が図れる。
【発明の効果】
【００１９】
本発明によれば、濾過膜部の上流側の給水ラインと濾過膜部に接続された懸濁物質濃縮排水ラインを循環ラインで結んで循環回路を構成し、懸濁物質濃縮排水のブローの前に、濾過膜部の上流側の給水ライン、濾過膜部の下流側の処理水ライン及び懸濁物質濃縮排水ラインを閉じ、前記循環回路内で懸濁物質濃縮排水を強制循環させることにより、濾過膜部の膜面に付着している懸濁物質を循環する懸濁物質濃縮排水の流圧により膜面から剥離することができる。この後、前記濾過膜部の上流側の給水ライン及び懸濁物質濃縮排水ラインを開き、懸濁物質濃縮排水をブローすることにより、前記剥離された懸濁物質を懸濁物質濃縮排水とともに懸濁物質濃縮排水ラインから排出することができる。これにより、懸濁物質による濾過膜部の目詰まりを早期に解消することができるものとなる。
【００２０】
また、前記のように、濾過膜部の膜面に付着している懸濁物質を膜面から剥離する際に被処理水を供給することなく、懸濁物質濃縮排水を循環させることにより膜面に付着している懸濁物質を剥離するので、ブロー用としての被処理水の排出量の小量化、即ち捨て水の節約を図ることができ、経済的である。
【発明を実施するための最良の形態】
【００２１】
以下、本発明に係る濾過膜部の目詰まり防止方法を実施するための最良の形態を説明する。
【００２２】
（実施の形態１）
本例の濾過膜部の目詰まり防止方法は、被処理水を濾過する過程で濾過膜部に発生した懸濁物質濃縮排水を所定間隔毎にブローすることにより濾過膜部の目詰まりを防止する方法であって、前記濾過膜部の上流側の給水ラインと濾過膜部に接続された懸濁物質濃縮排水ラインを循環ラインで結んで循環回路を構成し、前記懸濁物質濃縮排水のブローの前に、前記濾過膜部の上流側の給水ライン、濾過膜部の下流側の処理水ライン及び懸濁物質濃縮排水ラインを閉じ、前記循環回路内で懸濁物質濃縮排水を強制循環させた後、前記濾過膜部の上流側の給水ライン及び懸濁物質濃縮排水ラインを開き、懸濁物質濃縮排水をブローするようにした。
【００２３】
前記循環回路内で懸濁物質濃縮排水を強制循環させる流速及び時間は、前記濾過膜部の膜面に付着した懸濁物質を循環する懸濁物質濃縮排水により剥離するのに必要な動圧が得られる流速及び剥離に要する時間を基準に設定される。
【００２４】
また、懸濁物質濃縮排水をブローをしている時間は、前記濾過膜部の膜面から剥離された懸濁物質により高くなった懸濁物質濃縮排水の濁度が、ブローによって低くなるのに要する時間を基準に設定される。ここで、濾過膜部の膜面から剥離された懸濁物質により高くなった懸濁物質濃縮排水の濁度がブローにより低くなるとは、ブローにより懸濁物質濃縮排水ラインから排出される懸濁物質濃縮排水の濁度が一定となった状態をいう。
【００２５】
また、前記循環回路内で懸濁物質濃縮排水を強制循環させ懸濁物質濃縮排水をブローする一連の運転の間隔は、懸濁物質濃縮排水中の懸濁物質が濾過膜部の膜面に付着し目詰まりするおそれになる時間を基準に設定される。
【００２６】
このように、濾過膜部の上流側の給水ラインと濾過膜部に接続された懸濁物質濃縮排水ラインを循環ラインで結んで循環回路を構成し、懸濁物質濃縮排水のブローの前に、濾過膜部の上流側の給水ライン、濾過膜部の下流側の処理水ライン及び懸濁物質濃縮排水ラインを閉じ、前記循環回路内で懸濁物質濃縮排水を設定された流速をもって設定された時間強制循環させると、濾過膜部の膜面に付着している懸濁物質が循環水の流速により膜面から剥離される。この後、前記濾過膜部の上流側の給水ライン及び懸濁物質濃縮排水ラインを開き、懸濁物質濃縮排水を設定された時間ブローすると、前記剥離された懸濁物質は懸濁物質濃縮排水とともに懸濁物質濃縮排水ラインから排出することができる。
【００２７】
そして、前記懸濁物質濃縮排水を強制循環させ懸濁物質濃縮排水をブローする一連の運転を設定された間隔で行うことにより、懸濁物質による濾過膜部の目詰まりを早期に解消することができるものとなる。また、前記のように、濾過膜部の膜面に付着している懸濁物質を膜面から剥離する際に被処理水を供給することなく、懸濁物質濃縮排水を循環させることにより膜面に付着している懸濁物質を剥離するので、ブロー用としての被処理水の排出量の小量化、即ち捨て水の節約を図ることができ、経済的である。
【００２８】
（実施の形態２）
本例の濾過膜部の目詰まり防止方法は、被処理水を濾過する過程で濾過膜部に発生した懸濁物質濃縮排水を所定間隔毎にブローすることにより濾過膜部の目詰まりを防止する方法であって、前記濾過膜部の上流側の給水ラインと濾過膜部に接続された懸濁物質濃縮排水ラインを循環ラインで結んで循環回路を構成し、前記懸濁物質濃縮排水のブローの前に、前記濾過膜部の上流側の給水ライン、濾過膜部の下流側の処理水ライン及び懸濁物質濃縮排水ラインを閉じ、前記循環回路内で懸濁物質濃縮排水を強制循環させた後、前記濾過膜部の上流側の給水ライン及び懸濁物質濃縮排水ラインを開き、懸濁物質濃縮排水をブローする。そして、前記懸濁物質濃縮排水のブローは、ブロー時に懸濁物質濃縮排水の濁度を看視し、濁度が一定となった時点でブローを停止するようにした。
【００２９】
本例にあって、前記循環回路内で懸濁物質濃縮排水を強制循環させる流速及び時間は、前記実施の形態１と同様にして設定される。また、前記循環回路内で懸濁物質濃縮排水を強制循環させ懸濁物質濃縮排水をブローする一連の運転の間隔は、前記実施の形態１と同様にして設定される。
【００３０】
このように、濾過膜部の上流側の給水ラインと濾過膜部に接続された懸濁物質濃縮排水ラインを循環ラインで結んで循環回路を構成し、懸濁物質濃縮排水のブローの前に、濾過膜部の上流側の給水ライン、濾過膜部の下流側の処理水ライン及び懸濁物質濃縮排水ラインを閉じ、前記循環回路内で懸濁物質濃縮排水を設定された流速をもって設定された時間強制循環させると、濾過膜部の膜面に付着している懸濁物質が循環水の流速により膜面から剥離される。
【００３１】
この後、前記濾過膜部の上流側の給水ライン及び懸濁物質濃縮排水ラインを開き、懸濁物質濃縮排水をブローすると、前記剥離された懸濁物質は懸濁物質濃縮排水とともに懸濁物質濃縮排水ラインから排出することができる。そして、前記懸濁物質濃縮排水を強制循環させ懸濁物質濃縮排水をブローする一連の運転を設定された間隔で行うことにより、懸濁物質による濾過膜部の目詰まりを早期に解消することができるものとなる。
【００３２】
また、前記のように、濾過膜部の膜面に付着している懸濁物質を膜面から剥離する際に被処理水を供給することなく、懸濁物質濃縮排水を循環させることにより膜面に付着している懸濁物質を剥離するので、ブロー用としての被処理水の排出量の小量化、即ち捨て水の節約を図ることができ、経済的である。
【００３３】
更に本例では、前記懸濁物質濃縮排水のブロー時に、懸濁物質濃縮排水の濁度を看視し、濁度が一定となった時点でブローを停止するようにしたので、ブロー用としての被処理水の無駄な排出を防止でき、被処理水の排出量の一層の小量化が図れる。
【００３４】
（実施の形態３）
本例の濾過膜部の目詰まり防止方法は、被処理水を濾過する過程で濾過膜部に発生した懸濁物質濃縮排水を所定間隔毎にブローすることにより濾過膜部の目詰まりを防止する方法であって、前記濾過膜部の上流側の給水ラインと濾過膜部に接続された懸濁物質濃縮排水ラインを循環ラインで結んで循環回路を構成し、前記懸濁物質濃縮排水のブローの前に、前記濾過膜部の上流側の給水ライン、濾過膜部の下流側の処理水ライン及び懸濁物質濃縮排水ラインを閉じ、前記循環回路内で懸濁物質濃縮排水を強制循環させた後、前記濾過膜部の上流側の給水ライン及び懸濁物質濃縮排水ラインを開き、懸濁物質濃縮排水をブローする。そして、前記懸濁物質濃縮排水のブロー開始直後、懸濁物質濃縮排水の濁度を検知し、該濁度が所定値を超えた場合、次の懸濁物質濃縮排水を強制循環させ懸濁物質濃縮排水をブローする一連の運転の間隔及び懸濁物質濃縮排水をブローする時間を変更するようにした。
【００３５】
本例にあって、前記循環回路内で懸濁物質濃縮排水を強制循環させる流速及び時間は、前記実施の形態１と同様にして設定される。また、懸濁物質濃縮排水をブローをしている時間は、前記実施の形態１と同様にして基本時間として設定される。また、前記循環回路内で懸濁物質濃縮排水を強制循環させ懸濁物質濃縮排水をブローする一連の運転の間隔は、前記実施の形態１と同様にして基本間隔として設定される。
【００３６】
また、本例では、懸濁物質濃縮排水の濁度が所定値を超えた場合における、前記循環回路内で懸濁物質濃縮排水を強制循環させ懸濁物質濃縮排水をブローする一連の運転の間隔及び懸濁物質濃縮排水をブローをしている時間が、修正間隔、修正時間として別途設定される。前記修正間隔、修正時間は、前記濁度が所定値を超えたを懸濁物質濃縮排水の濁度が、ブローにより一定となる状態が得られる間隔や時間を基準に設定されており、循環回路内で懸濁物質濃縮排水を強制循環させ懸濁物質濃縮排水をブローする一連の運転の間隔を基本間隔より短い間隔として、また、開閉弁とブロー弁を開いている時間を基本時間より長い時間として設定されている。
【００３７】
そして、前記のように、懸濁物質濃縮排水ブロー開始直後、懸濁物質濃縮排水の濁度を検知して、当該懸濁物質濃縮排水の濁度が所定値を超えた場合、前記循環回路内で懸濁物質濃縮排水を強制循環させ懸濁物質濃縮排水をブローする一連の運転の基本間隔を前記修正間隔に、そして懸濁物質濃縮排水をブローをしている基本時間を前記修正時間に変更するようになっている。
【００３８】
また、前記循環回路内で懸濁物質濃縮排水を強制循環させ懸濁物質濃縮排水をブローする一連の運転の基本間隔を前記修正間隔に、そして懸濁物質濃縮排水をブローをしている基本時間を前記修正時間に変更させる指標となる懸濁物質濃縮排水の濁度の所定値は、次のようにして設定さる。
【００３９】
懸濁物質濃縮排水の濁度の所定値は、懸濁物質濃縮排水ブロー開始直後の懸濁物質濃縮排水の濁度がその値を超えたとき、前記循環回路内で懸濁物質濃縮排水を強制循環させ懸濁物質濃縮排水をブローする一連の運転の基本間隔及び懸濁物質濃縮排水をブローをしている基本時間では、ブローにより懸濁物質濃縮排水ラインから排出される懸濁物質濃縮排水の濁度が一定となる前にブローが終了してしまう値として設定されている。
【００４０】
このように、濾過膜部の上流側の給水ラインと濾過膜部に接続された懸濁物質濃縮排水ラインを循環ラインで結んで循環回路を構成し、懸濁物質濃縮排水のブローの前に、濾過膜部の上流側の給水ライン、濾過膜部の下流側の処理水ライン及び懸濁物質濃縮排水ラインを閉じ、前記循環回路内で懸濁物質濃縮排水を設定された流速をもって設定された時間強制循環させると、濾過膜部の膜面に付着している懸濁物質が循環水の流速により膜面から剥離される。この後、前記濾過膜部の上流側の給水ライン及び懸濁物質濃縮排水ラインを開き、設定された基本時間懸濁物質濃縮排水をブローすると、前記剥離された懸濁物質は懸濁物質濃縮排水とともに懸濁物質濃縮排水ラインから排出することができる。
【００４１】
そして、前記懸濁物質濃縮排水を強制循環させ懸濁物質濃縮排水をブローする一連の運転を設定された基本間隔で行うことにより、懸濁物質による濾過膜部の目詰まりを早期に解消することができるものとなる。
【００４２】
更に、本例では、前記懸濁物質濃縮排水のブロー開始直後、懸濁物質濃縮排水の濁度を検知することにより、濾過膜部の膜面への懸濁物質の付着度合いを知ることができる。そして、前記濁度が所定値を超えた場合、次の懸濁物質濃縮排水を強制循環させ懸濁物質濃縮排水をブローする一連の運転の基本間隔を修正間隔に及び懸濁物質濃縮排水をブローする基本時間を修正時間に変更することにより、濾過膜部の膜面への懸濁物質の付着が極力少なくなり、懸濁物質による濾過膜部の目詰まりを早期に解消することができるものとなる。
【００４３】
また、前記のように、濾過膜部の膜面に付着している懸濁物質を膜面から剥離する際に被処理水を供給することなく、懸濁物質濃縮排水を循環させることにより膜面に付着している懸濁物質を剥離するので、ブロー用としての被処理水の排出量の小量化、即ち捨て水の節約を図ることができ、経済的である。
【００４４】
なお、本例では、ブロー開始直後における懸濁物質濃縮排水の濁度が所定値を超えた場合、次の懸濁物質濃縮排水を強制循環させ懸濁物質濃縮排水をブローする一連の運転の基本間隔及び懸濁物質濃縮排水をブローする基本時間を変更するようにしているが、懸濁物質濃縮排水を強制循環させ懸濁物質濃縮排水をブローする一連の運転の基本間隔又は懸濁物質濃縮排水をブローする基本時間のいずれか一方だけを変更するだけであってもよい。
【００４５】
（実施の形態４）
本例の濾過膜部の目詰まり防止方法は、被処理水を濾過する過程で濾過膜部に発生した懸濁物質濃縮排水を所定間隔毎にブローすることにより濾過膜部の目詰まりを防止する方法であって、前記濾過膜部の上流側の給水ラインと濾過膜部に接続された懸濁物質濃縮排水ラインを循環ラインで結んで循環回路を構成し、前記懸濁物質濃縮排水のブローの前に、前記濾過膜部の上流側の給水ライン、濾過膜部の下流側の処理水ライン及び懸濁物質濃縮排水ラインを閉じ、前記循環回路内で懸濁物質濃縮排水を強制循環させた後、前記濾過膜部の上流側の給水ライン及び懸濁物質濃縮排水ラインを開き、懸濁物質濃縮排水をブローする。そして、前記懸濁物質濃縮排水のブロー開始直後、懸濁物質濃縮排水の濁度を検知し、該濁度に応じて、次の懸濁物質濃縮排水を強制循環させ懸濁物質濃縮排水をブローする一連の運転の間隔及び懸濁物質濃縮排水をブローする時間を変更するようにした。
【００４６】
本例にあって、前記循環回路内で懸濁物質濃縮排水を強制循環させる流速及び時間は、前記実施の形態１と同様にして設定される。
【００４７】
また、懸濁物質濃縮排水をブローをしている時間は、前記実施の形態１と同様にして基本時間として設定され、更に、懸濁物質濃縮排水の濁度がブローによって低くなり一定となるのに要する時間が、ブロー開始直後における懸濁物質濃縮排水の濁度に応じて対応時間として設定される。
【００４８】
また、前記循環回路内で懸濁物質濃縮排水を強制循環させ懸濁物質濃縮排水をブローする一連の運転の間隔は、前記実施の形態１と同様にして基本間隔として設定され、更に、懸濁物質濃縮排水中の懸濁物質が濾過膜部の膜面に付着し目詰まりするおそれになる時間を基準として、ブロー開始直後における懸濁物質濃縮排水の濁度に応じて対応間隔として設定される。
【００４９】
そして、前記のように、懸濁物質濃縮排水ブロー開始直後、懸濁物質濃縮排水の濁度を検知して、次の懸濁物質濃縮排水を強制循環させ懸濁物質濃縮排水をブローする一連の運転の間隔及び懸濁物質濃縮排水をブローする時間を、ブロー開始直後における懸濁物質濃縮排水の濁度に応じて設定された懸濁物質濃縮排水を強制循環させ懸濁物質濃縮排水をブローする一連の運転の対応間隔及び懸濁物質濃縮排水をブローする対応時間に変更するようになっている。
【００５０】
このように、濾過膜部の上流側の給水ラインと濾過膜部に接続された懸濁物質濃縮排水ラインを循環ラインで結んで循環回路を構成し、懸濁物質濃縮排水のブローの前に、濾過膜部の上流側の給水ライン、濾過膜部の下流側の処理水ライン及び懸濁物質濃縮排水ラインを閉じ、前記循環回路内で懸濁物質濃縮排水を設定された流速をもって設定された時間強制循環させると、濾過膜部の膜面に付着している懸濁物質が循環水の流速により膜面から剥離される。この後、前記濾過膜部の上流側の給水ライン及び懸濁物質濃縮排水ラインを開き、設定された基本時間懸濁物質濃縮排水をブローすると、前記剥離された懸濁物質は懸濁物質濃縮排水とともに懸濁物質濃縮排水ラインから排出することができる。
【００５１】
そして、前記懸濁物質濃縮排水を強制循環させ懸濁物質濃縮排水をブローする一連の運転を設定された間隔で行うことにより、懸濁物質による濾過膜部の目詰まりを早期に解消することができるものとなる。
【００５２】
更に、本例では、前記懸濁物質濃縮排水のブロー開始直後、懸濁物質濃縮排水の濁度を検知することにより、濾過膜部の膜面への懸濁物質の付着度合いを知ることができる。そして、前記濁度に応じて、次の懸濁物質濃縮排水を強制循環させ懸濁物質濃縮排水をブローする一連の運転の間隔を対応間隔に、そして懸濁物質濃縮排水をブローする時間を対応時間に変更することにより、濾過膜部の膜面への懸濁物質の付着が極力少なくなり、懸濁物質による濾過膜部の目詰まりを早期に解消することができるとともに、ブロー用としての被処理水の無駄な排出が防止でき、被処理水の排出量の小量化が図れる。
【００５３】
なお、本例では、ブロー開始直後における懸濁物質濃縮排水の濁度に応じて、懸濁物質濃縮排水を強制循環させ懸濁物質濃縮排水をブローする一連の運転の間隔を対応間隔として、そして懸濁物質濃縮排水をブローする時間を対応時間として設定し、懸濁物質濃縮排水を強制循環させ懸濁物質濃縮排水をブローする一連の運転の間隔及び懸濁物質濃縮排水をブローする時間を、ブロー開始直後における懸濁物質濃縮排水の濁度に応じた、懸濁物質濃縮排水を強制循環させ懸濁物質濃縮排水をブローする一連の運転の対応間隔及び懸濁物質濃縮排水をブローする対応時間に変更するようになっているが、懸濁物質濃縮排水を強制循環させ懸濁物質濃縮排水をブローする一連の運転の間隔又は懸濁物質濃縮排水をブローする時間のいずれか一方だけを設定し、該一方だけを変更するだけであってもよい。
【実施例】
【００５４】
次に本発明の具体的な一実施例を図面により詳細に説明する。
【００５５】
（第１例）
本例は、実施の形態１の一実施例であり、図１は本例の濾過膜部の目詰まり防止方法を実施する水処理システムの概略説明図である。図１に示す水処理システムは、原水タンク１から被処理水を給水する給水ライン２に、被処理水に存在する懸濁物質を濾過する濾過膜部３と、この濾過膜部３を透過することにより得られた処理水を貯留する貯留タンク４とが配置されている。更に、前記濾過膜部３の上流側には、被処理水を前記濾過膜部３に加圧して供給するポンプ５が配置されている。このポンプ５は後述する循環回路内で前記濾過膜部３に発生した懸濁物質濃縮排水を強制循環させる役割も併せ持っている。
【００５６】
また、前記濾過膜部３には、前記濾過膜部３による被処理水の濾過の過程で、濾過膜部３に発生した懸濁物質濃縮排水を排水する懸濁物質濃縮排水ライン６が接続されており、この懸濁物質濃縮排水ライン６には、ブローライン７と排水ライン８が分岐して接続されている。更に、前記ポンプ５の上流側の給水ライン２ａと濾過膜部３に接続された懸濁物質濃縮排水ライン６のブローライン７は循環ライン９で連結されて循環回路１０が構成されている。前記循環ライン９の一端が連結された給水ライン２ａの上流側には開閉弁１１が配置され、また、前記濾過膜部３で処理された処理水を流す処理水ライン２ｂに同じく開閉弁１２が配置され、また、前記循環ライン９の他端が連結されたブローライン７の下流側にはブロー弁１３が配置されている。また、前記排水ライン８には排水弁１４が配置されている。
【００５７】
また、前記水処理システムは、前記循環ライン９が連結された給水ライン２ａの上流側に配置された開閉弁１１、濾過膜部３で処理された処理水を流す処理水ライン２ｂに配置された開閉弁１２、循環ライン９が接続されたブローライン７の下流側に配置されたブロー弁１３、排水ライン８に配置された排水弁１４に開閉指令信号を出力し、また前記ポンプ５の回転数を出力周波数に応じて可変させるインバーター１５を介して前記ポンプ５を駆動する駆動指令信号を出力する制御部１６を備えている。
【００５８】
この制御部１６は、所定の間隔毎に、給水ライン２ａに配置された開閉弁１１、処理水ライン２ｂに配置された開閉弁１２、ブローライン７に配置されたブロー弁１３及び排水ライン８に配置された排水弁１４を所定時間閉じる閉指令信号を出力するとともに、前記ポンプ５を所定の回転数で所定時間駆動する駆動指令信号を出力し、前記所定時間経過後、前記開閉弁１１とブロー弁１３を所定時間開く開指令信号を出力し、ブロー弁１３を開いている前記所定の時間経過後、開閉弁１２及び排水弁１４を開く開指令信号とブロー弁１３を閉じる閉指令信号を出力するとともに、前記ポンプ５を濾過処理運転における通常の回転数で駆動する駆動指令信号を出力するプログラムを備えている。
【００５９】
また、制御部１６は、前記一連の信号による一連の動作を一括りとし該動作を所定の間隔毎に行わせる時間、前記動作のなかで、開閉弁１１、開閉弁１２、ブロー弁１３及び排水弁１４を閉じている時間、ポンプ５を所定の回転数で駆動している時間、前記開閉弁１１とブロー弁１３を開いている時間、ポンプ５の回転数等を記憶させた記憶部を備えている。
【００６０】
前記一連の信号による一連の動作を一括りとし該動作を所定の間隔毎に行わせる時間にあっては、濾過処理運転中、濾過膜部３に発生する懸濁物質濃縮排水中の懸濁物質が濾過膜部３の膜面に付着し目詰まりするおそれが生じる時間を基準に設定される。
【００６１】
また、前記動作の中で、前記開閉弁１１、開閉弁１２、ブロー弁１３及び排水弁１４を閉じている時間にあっては、濾過膜部３の膜面に付着した懸濁物質を後述するところの循環する懸濁物質濃縮排水により剥離するのに要する時間を基準に設定される。
【００６２】
また、循環回路１０内で懸濁物質濃縮排水を強制循環させるときのポンプ５の回転数は、濾過膜部３の膜面に付着した懸濁物質を後述するところの循環水により剥離するのに必要な動圧が得られる流速となる回転数を基準に設定される。
【００６３】
また、前記開閉弁１１とブロー弁１３を開いている時間（懸濁物質濃縮排水をブローをしている時間）にあっては、濾過膜部３の膜面から剥離された懸濁物質により高くなった懸濁物質濃縮排水の濁度が、ブローによって低くなるのに要する時間を基準に設定される。ここで、濾過膜部の膜面から剥離された懸濁物質により高くなった懸濁物質濃縮排水の濁度がブローにより低くなるとは、ブローにより懸濁物質濃縮排水ライン６から排出される懸濁物質濃縮排水の濁度が一定となった状態をいう。
【００６４】
上記のように構成した水処理システムにより、本発明に係る濾過膜部の目詰まり防止方法は次のように実施される。
【００６５】
前記水処理システムの運転は、原水タンク１から被処理水をポンプ５の駆動により給水ライン２をとおして濾過膜部３に供給し、濾過膜部３で濾過した処理水を貯留タンク４に貯留するようにして行われる。
【００６６】
そして、濾過処理運転の時間が設定された時間経過すると、制御部１６が給水ライン２ａに配置された開閉弁１１、処理水ライン２ｂに配置された開閉弁１２、ブローライン７に配置されたブロー弁１３及び排水ライン８に配置された排水弁１４を設定された時間閉じる閉指令信号と、ポンプ５を所定の回転数で駆動する駆動指令信号を出力し、かかる信号を受けて、開閉弁１１、開閉弁１２、ブロー弁１３及び排水弁１４が設定された時間閉じて循環回路１０が構成され、ポンプ５が所定の回転数で駆動する。これにより、濾過膜部３で発生した懸濁物質濃縮排水は循環回路１０内で循環する。このように循環回路１０内で懸濁物質濃縮排水を強制循環させることにより、濾過膜部３の膜面に付着している懸濁物質は循環水の流速により膜面から剥離される。
【００６７】
前記設定された時間が経過すると、制御部１６が前記開閉弁１１とブロー弁１３を設定された時間開く開指令信号を出力し、かかる信号を受けて開閉弁１１とブロー弁１３が開く。これにより、前記循環回路１０内で循環していた懸濁物質濃縮排水が原水タンク１から供給される被処理水で押し出されるようにしてブローライン７からブローされる。このようにして懸濁物質濃縮排水がブローされることにより、前記濾過膜部３の膜面から剥離された懸濁物質は懸濁物質濃縮排水とともにブローライン７から排出される。
【００６８】
前記開閉弁１１とブロー弁１３を開いている設定された時間が経過すると、制御部１６が開閉弁１２及び排水弁１４を開く開指令信号とブロー弁１３を閉じる閉指令信号を出力するとともに、前記ポンプ５を通常の回転数で駆動する駆動指令信号を出力し、かかる信号を受けて、開閉弁１２及び排水弁１４が開き、ブロー弁１３が閉じるとともに、前記ポンプ５が通常の回転数で駆動し、これにより、濾過処理運転に復帰する。そして、また、設定された間隔（時間）毎に、前記動作を繰り返して行う。
【００６９】
前記のように、循環回路１０を構成し、循環回路１０内で懸濁物質濃縮排水を強制循環させることにより、濾過膜部３の膜面に付着している懸濁物質を循環水の流速により膜面から容易に且つより確実に剥離することができる。この後、懸濁物質濃縮排水をブローすることにより、前記剥離された懸濁物質を懸濁物質濃縮排水とともに懸濁物質濃縮排水ライン６から排出することができるので、懸濁物質による濾過膜部の目詰まりを早期に解消することができるものとなる。
【００７０】
また、前記のように、濾過膜部３の膜面に付着している懸濁物質を膜面から剥離する際に被処理水を供給することなく、懸濁物質濃縮排水を循環させることにより膜面に付着している懸濁物質を剥離するので、ブロー用としての被処理水の排出量の小量化、即ち捨て水の節約を図ることができ、経済的である。
【００７１】
（第２例）
本例は、実施の形態２の一実施例であり、図２は本例の濾過膜部の目詰まり防止方法を実施する水処理システムの概略説明図である。図２に示す水処理システムにおいて、前記実施の形態１の一実施例である第１例を示す図１と共通の構成には共通する番号を付して説明する。本例では、懸濁物質濃縮排水ライン６のブローライン７に、該ブローライン７を流れる懸濁物質濃縮排水の濁度を検知する濁度計１７が取り付けられていおり、その他の構成は図１に示す第１例と同様である。この濁度計１７はブローライン７を流れる懸濁物質濃縮排水の濁度を検知し、制御部１６に濁度を出力するようになっている。
【００７２】
また、制御部１６にあっては、第１例と同様に、開閉弁１１、開閉弁１２、ブロー弁１３及び排水弁１４に開閉指令信号を出力し、また前記ポンプ５の回転数を出力周波数に応じて可変させるインバーター１５を介して前記ポンプ５を駆動する駆動指令信号を出力するようになている。
【００７３】
この制御部１６は、第１例と同様に、所定の間隔毎に、開閉弁１１、開閉弁１２、ブロー弁１３及び排水弁１４を所定時間閉じる閉指令信号を出力するとともに、前記ポンプ５を所定の回転数で所定時間駆動する駆動指令信号を出力し、前記所定時間経過後、前記開閉弁１１とブロー弁１３を開く開指令信号を出力するプログラムを備えている。
【００７４】
更に本例では、前記開閉弁１１とブロー弁１３を開くことにより該ブローライン７を流れる懸濁物質濃縮排水の濁度が一定となったことを濁度計１７が検知したとき、開閉弁１２及び排水弁１４を開く開指令信号とブロー弁１３を閉じる閉指令信号を出力するとともに、前記ポンプ５を通常の回転数で駆動する駆動指令信号を出力するプログラムを備えている。
【００７５】
また、制御部１６は、第１例と同様に、前記一連の信号による一連の動作を一括りとし該動作を所定の間隔毎に行わせる時間、前記動作のなかで、開閉弁１１、開閉弁１２、ブロー弁１３及び排水弁１４を閉じている時間、ポンプ５を所定の回転数で駆動している時間、ポンプ５の回転数等を記憶させた記憶部を備えている。
【００７６】
前記一連の信号による一連の動作を一括りとし該動作を所定の間隔毎に行わせる時間、前記動作の中で、開閉弁１１、開閉弁１２、ブロー弁１３及び排水弁１４を閉じている時間、また、循環回路１０内で懸濁物質濃縮排水を強制循環させるときのポンプ５の回転数は、第１例と同様にして設定される。
【００７７】
上記のように構成した水処理システムにより、本発明に係る濾過膜部の目詰まり防止方法は次のように実施される。
【００７８】
前記水処理システムの運転は、第１例と同様に、原水タンク１から被処理水をポンプ５の駆動により給水ライン２を通して濾過膜部３に供給し、濾過膜部３で濾過した処理水を貯留タンク４に貯留するようにして行われる。そして、濾過処理運転の時間が設定された時間経過すると、制御部１６が給水ライン２ａに配置された開閉弁１１、処理水ライン２ｂに配置された開閉弁１２、ブローライン７に配置されたブロー弁１３及び排水ライン８に配置された排水弁１４を設定された時間閉じる閉指令信号と、ポンプ５を所定の回転数で駆動する駆動指令信号を出力し、かかる信号を受けて、開閉弁１１、開閉弁１２、ブロー弁１３及び排水弁１４が設定された時間閉じて循環回路１０が構成され、ポンプ５が所定の回転数で駆動する。これにより、濾過膜部３で発生した懸濁物質濃縮排水は循環回路１０内で循環する。このように循環回路１０内で懸濁物質濃縮排水を強制循環させることにより、濾過膜部３の膜面に付着している懸濁物質は循環水の流速により膜面から剥離される。
【００７９】
前記設定された時間が経過すると、制御部１６が前記開閉弁１１とブロー弁１３を設定された時間開く開指令信号を出力し、かかる信号を受けて開閉弁１１とブロー弁１３が開く。これにより、前記循環回路１０内で循環していた懸濁物質濃縮排水が原水タンク１から供給される被処理水で押し出されるようにしてブローライン７からブローされる。このようにして懸濁物質濃縮排水がブローされることにより、前記濾過膜部３の膜面から剥離された懸濁物質は懸濁物質濃縮排水とともにブローライン７から排出される。
【００８０】
前記開閉弁１１とブロー弁１３を開くことにより該ブローライン７を流れる懸濁物質濃縮排水の濁度が一定となったことを濁度計１７が検知すると、制御部１６が開閉弁１２及び排水弁１４を開く開指令信号とブロー弁１３を閉じる閉指令信号を出力するとともに、前記ポンプ５を通常の回転数で駆動する駆動指令信号を出力し、かかる信号を受けて、開閉弁１２及び排水弁１４が開き、ブロー弁１３が閉じるとともに、前記ポンプ５が通常の回転数で駆動し、これにより、濾過処理運転に復帰する。そして、また、設定された間隔（時間）毎に、前記動作を繰り返して行う。
【００８１】
前記のように、循環回路１０を構成し、循環回路１０内で懸濁物質濃縮排水を強制循環させることにより、濾過膜部３の膜面に付着している懸濁物質を循環水の流速により膜面から容易に且つより確実に剥離することができる。この後、懸濁物質濃縮排水をブローすることにより、前記剥離された懸濁物質を懸濁物質濃縮排水とともに懸濁物質濃縮排水ライン６から排出することができるので、懸濁物質による濾過膜部３の目詰まりを早期に解消することができるものとなる。
【００８２】
また、前記のように、濾過膜部３の膜面に付着している懸濁物質を膜面から剥離する際に被処理水を供給することなく、懸濁物質濃縮排水を循環させることにより膜面に付着している懸濁物質を剥離するので、ブロー用としての被処理水の排出量の小量化、即ち捨て水の節約を図ることができ、経済的である。
【００８３】
更に、前記懸濁物質濃縮排水のブローにあっては、ブロー時に、ブローライン７を流れる懸濁物質濃縮排水の濁度が一定となったことを濁度計１７が検知した時点でブローを停止するようにしたので、ブロー用としての被処理水の無駄な排出が防止でき、被処理水の排出量の一層の小量化が図れる。
【００８４】
（第３例）
本例は、実施の形態３の一実施例である。本例の水処理システムは、制御部１６のプログラム及び記憶部の記憶情報以外は、図２に示す前記第２例と同様であるので、図２を援用し、本例を説明する。
【００８５】
本例では、制御部１６は、第１例と同様に、開閉弁１１、開閉弁１２、ブロー弁１３及び排水弁１４に開閉指令信号を出力し、また前記ポンプ５の回転数を出力周波数に応じて可変させるインバーター１５を介して前記ポンプ５を駆動する駆動指令信号を出力するようになっている。
【００８６】
そして、制御部１６は、第１例と同様に、所定の基本間隔毎に、給水ライン２ａに配置された開閉弁１１、処理水ライン２ｂに配置された開閉弁１２、ブローライン７に配置されたブロー弁１３及び排水ライン８に配置された排水弁１４を所定の基本時間閉じる閉指令信号を出力するとともに、前記ポンプ５を所定の回転数で所定の基本時間駆動する駆動指令信号を出力し、前記所定の基本時間経過後、前記開閉弁１１とブロー弁１３を所定の基本時間開く開指令信号を出力し、ブロー弁１３を開いている前記所定の基本時間経過後、開閉弁１２及び排水弁１４を開く開指令信号とブロー弁１３を閉じる閉指令信号を出力するとともに、前記ポンプ５を通常の回転数で駆動する駆動指令信号を出力するプログラムを備えている。
【００８７】
更に本例では、前記開閉弁１１とブロー弁１３を開くことにより該ブローライン７を流れる懸濁物質濃縮排水のブロー開始直後における懸濁物質濃縮排水の濁度について濁度計１７が検知した濁度が所定値を超えた場合、次にくる前記一連の信号による一連の動作を一括りとし該動作を行わせる所定の基本間隔及び前記開閉弁１１とブロー弁１３を開いている基本時間を変更し、変更後の間隔及び時間を指令する信号を出力するプログラムを備えている。
【００８８】
更に、前記ブローライン７を流れる懸濁物質濃縮排水のブロー開始直後における懸濁物質濃縮排水の濁度が所定値を下回った場合、次にくる前記一連の信号による一連の動作を一括りとし該動作を行わせる変更後の間隔及び前記開閉弁１１とブロー弁１３を開いている変更後の時間を変更前の基本間隔及び基本時間に戻し、基本間隔及び基本時間を指令する信号を出力するプログラムを備えている。
【００８９】
また、制御部１６は、前記一連の信号による一連の動作を一括りとし該動作を所定の間隔毎に行わせる基本時間、前記動作の中で、開閉弁１１、開閉弁１２、ブロー弁１３及び排水弁１４を閉じている基本時間、ポンプ５を所定の回転数で駆動している基本時間、前記開閉弁１１とブロー弁１３を開いている基本時間、ポンプ５の回転数、懸濁物質濃縮排水のブロー開始直後における懸濁物質濃縮排水の濁度値、変更後の前記一連の信号による一連の動作を一括りとし該動作を所定の間隔毎に行わせる時間、及び変更後の前記開閉弁１１とブロー弁１３を開いている時間等を記憶させた記憶部を備えている。
【００９０】
本例にあって、前記一連の信号による一連の動作を一括りとし該動作を所定の間隔毎に行わせる基本時間、前記動作の中で、前記開閉弁１１、開閉弁１２、ブロー弁１３及び排水弁１４を閉じている基本時間、循環回路１０内で懸濁物質濃縮排水を強制循環させるときのポンプ５の回転数及び前記開閉弁１１とブロー弁１３を開いている基本時間（懸濁物質濃縮排水をブローをしている時間）は、第１例と同様にして設定される。
【００９１】
前記懸濁物質濃縮排水のブロー開始直後における懸濁物質濃縮排水の濁度の所定値は、懸濁物質濃縮排水のブロー開始直後における懸濁物質濃縮排水の濁度が所定値を超えたとき、前記一連の信号による一連の動作を一括りとし該動作を行う基本間隔や前記開閉弁１１とブロー弁１３を開いている基本時間では、ブローにより懸濁物質濃縮排水ライン６から排出される懸濁物質濃縮排水の濁度が一定となる前にブローが終了してしまう値として設定されている。
【００９２】
前記懸濁物質濃縮排水のブロー開始直後における懸濁物質濃縮排水の濁度が所定値を超えた場合、濾過膜部３の膜面への懸濁物質の付着度合いが増えたことを示すシグナルとなり、次の前記循環回路１０内で懸濁物質濃縮排水を強制循環させ懸濁物質濃縮排水をブローする一連の運転の間隔及び懸濁物質濃縮排水をブローをしている時間が、修正間隔、修正時間として別途設定される。前記修正間隔、修正時間は、前記濁度が所定値を超えた懸濁物質濃縮排水の濁度が、ブローにより一定となる状態が得られる間隔や時間を基準に設定され、循環回路１０内で懸濁物質濃縮排水を強制循環させ懸濁物質濃縮排水をブローする一連の運転の間隔を基本間隔より短い間隔として、また、開閉弁１１とブロー弁１３を開いている時間を基本時間より長い時間として設定される。
【００９３】
そして、懸濁物質濃縮排水ブロー開始直後における懸濁物質濃縮排水の濁度を濁度計１７で検知して、当該懸濁物質濃縮排水の濁度が所定値を超えた場合、前記循環回路１０内で懸濁物質濃縮排水を強制循環させ懸濁物質濃縮排水をブローする一連の運転の基本間隔を前記修正間隔に、そして懸濁物質濃縮排水をブローをしている基本時間を前記修正時間に変更するようになっている。
【００９４】
上記のように構成した水処理システムにより、本発明に係る濾過膜部の目詰まり防止方法は次のように実施される。
【００９５】
前記水処理システムの運転は、第１例と同様に、原水タンク１から被処理水をポンプ５の駆動により給水ライン２を通して濾過膜部３に供給し、濾過膜部３で濾過した処理水を貯留タンク４に貯留するようにして行われる。そして、濾過処理運転が所定の基本時間経過すると、制御部１６が給水ライン２ａに配置した開閉弁１１、処理水ライン２ｂに配置された開閉弁１２、ブローライン７に配置されたブロー弁１３及び排水ライン８に配置された排水弁１４を所定の基本時間閉じる閉指令信号と、ポンプ５を所定の回転数で駆動する駆動指令信号を出力し、かかる信号を受けて、開閉弁１１、開閉弁１２、ブロー弁１３及び排水弁１４が所定の基本時間閉じて循環回路１０が構成され、ポンプ５が所定の回転数で駆動する。これにより、濾過膜部３で発生した懸濁物質濃縮排水は循環回路１０内で循環する。
【００９６】
このように循環回路１０内で懸濁物質濃縮排水を強制循環させることにより、濾過膜部３の膜面に付着している懸濁物質は循環水の流速により膜面から剥離される。前記基本時間が経過すると、制御部１６が前記開閉弁１１とブロー弁１３を基本時間開く開指令信号を出力し、かかる信号を受けて開閉弁１１とブロー弁１３が開く。これにより、前記循環回路１０内で循環していた懸濁物質濃縮排水が原水タンク１から供給される被処理水で押し出されるようにしてブローライン７からブローされる。このようにして懸濁物質濃縮排水がブローされることにより、前記濾過膜部３の膜面から剥離された懸濁物質は懸濁物質濃縮排水とともにブローライン７から排出される。
【００９７】
更に、前記開閉弁１１とブロー弁１３を開くことにより該ブローライン７を流れる懸濁物質濃縮排水の濁度は濁度計１７で検知され、ブローライン７を流れる懸濁物質濃縮排水ブロー開始直後における懸濁物質濃縮排水の濁度が所定値を超えた場合、制御部１６が循環回路１０内で懸濁物質濃縮排水を強制循環させ懸濁物質濃縮排水をブローする一連の運転の基本間隔を前記修正間隔に、そして懸濁物質濃縮排水をブローをしている、即ち開閉弁１１とブロー弁１３を開いている基本時間を前記修正時間に変更し、次の動作は前記修正間隔、修正時間に基づいて行われる。
【００９８】
そして、その後、前記ブローライン７を流れる懸濁物質濃縮排水ブロー開始直後における懸濁物質濃縮排水の濁度が所定値を下回った場合、循環回路内で懸濁物質濃縮排水を強制循環させ懸濁物質濃縮排水をブローする一連の運転の修正間隔及び開閉弁１１とブロー弁１３を開いている修正時間が、変更前の基本間隔、基本時間に変更され、前記動作は、変更前の基本間隔、基本時間に基づいて行われる。
【００９９】
前記のように、循環回路１０を構成し、循環回路１０内で懸濁物質濃縮排水を強制循環させることにより、濾過膜部３の膜面に付着している懸濁物質を循環水の流速により膜面から容易に且つより確実に剥離することができる。この後、懸濁物質濃縮排水をブローすることにより、前記剥離された懸濁物質を懸濁物質濃縮排水とともに懸濁物質濃縮排水ライン６から排出することができるので、懸濁物質による濾過膜部３の目詰まりを早期に解消することができるものとなる。
【０１００】
また、前記のように、濾過膜部３の膜面に付着している懸濁物質を膜面から剥離する際に被処理水を供給することなく、懸濁物質濃縮排水を循環させることにより膜面に付着している懸濁物質を剥離するので、ブロー用としての被処理水の排出量の小量化、即ち捨て水の節約を図ることができ、経済的である。
【０１０１】
更に、前記懸濁物質濃縮排水のブロー開始直後における懸濁物質濃縮排水の濁度を検知することにより、濾過膜部３の膜面への懸濁物質の付着度合いを知ることができ、懸濁物質濃縮排水のブロー開始直後における懸濁物質濃縮排水の濁度が所定値を超えたことを濁度計１７が検知した場合、以後の前記懸濁物質濃縮排水を強制循環させ懸濁物質濃縮排水をブローする一連の運転の間隔及び懸濁物質濃縮排水をブローする時間を変更することにより、濾過膜部３の膜面への懸濁物質の付着が極力少なくなり、懸濁物質による濾過膜部３の目詰まりを早期に解消することができるものとなる。
【０１０２】
（第４例）
本例は、実施の形態４の一実施例である。本例の水処理システムは、制御部１６のプログラム及び記憶部の記憶情報以外は、図２に示す前記第２例と同様であるので、図２を援用し、本例を説明する。
【０１０３】
本例では、制御部１６は、第１例と同様に、開閉弁１１、開閉弁１２、ブロー弁１３及び排水弁１４に開閉指令信号を出力し、また前記ポンプ５の回転数を出力周波数に応じて可変させるインバーター１５を介して前記ポンプ５を駆動する駆動指令信号を出力するようになっている。
【０１０４】
そして、制御部１６は、スタート時のみ、第１例と同様に、給水ライン２ａに配置された開閉弁１１、処理水ライン２ｂに配置された開閉弁１２、ブローライン７に配置されたブロー弁１３及び排水ライン８に配置された排水弁１４を所定の基本時間閉じる閉指令信号を出力するとともに、前記ポンプ５を所定の回転数で所定の基本時間駆動する駆動指令信号を出力し、前記所定の基本時間経過後、前記開閉弁１１とブロー弁１３を所定の基本時間開く開指令信号を出力し、ブロー弁１３を開いている前記所定の基本時間経過後、開閉弁１２及び排水弁１４を開く開指令信号とブロー弁１３を閉じる閉指令信号を出力するとともに、前記ポンプ５を通常の回転数で駆動する駆動指令信号を出力するプログラムを備えている。
【０１０５】
更に本例では、制御部１６は、次の前記一連の信号による一連の動作を一括りとし該動作を行わせる所定の基本間隔及び前記開閉弁１１とブロー弁１３を開いている基本時間を、濁度計１７により検知されたブローライン７を流れる懸濁物質濃縮排水のブロー開始直後における懸濁物質濃縮排水の濁度に応じて設定された間隔及び時間に変更し、変更後の間隔及び時間を指令する信号を出力するプログラムを備えている。
【０１０６】
また、制御部１６は、前記一連の信号による一連の動作を一括りとし該動作を所定の間隔毎に行わせる基本時間、前記動作の中で、開閉弁１１、開閉弁１２、ブロー弁１３及び排水弁１４を閉じている基本時間、ポンプ５を所定の回転数で駆動している基本時間、前記開閉弁１１とブロー弁１３を開いている基本時間、ポンプ５の回転数、懸濁物質濃縮排水の初期濁度に応じて設定された前記一連の信号による一連の動作を一括りとし該動作を所定の間隔毎に行わせる時間、及び懸濁物質濃縮排水の初期濁度に応じて設定された前記開閉弁１１とブロー弁１３を開いている時間等を記憶させた記憶部を備えている。
【０１０７】
本例にあって、前記一連の信号による一連の動作を一括りとし該動作を所定の間隔毎に行わせる基本時間、前記動作の中で、前記開閉弁１１、開閉弁１２、ブロー弁１３及び排水弁１４を閉じている基本時間、循環回路１０内で懸濁物質濃縮排水を強制循環させるときのポンプ５の回転数及び前記開閉弁１１とブロー弁１３を開いている基本時間（懸濁物質濃縮排水をブローをしている時間）は、第１例と同様にして設定される。
【０１０８】
更に、前記一連の信号による一連の動作を一括りとし該動作を行う間隔は、前記基本間隔の他に、懸濁物質濃縮排水のブロー開始直後における懸濁物質濃縮排水の濁度に応じて、対応間隔として別途設定される。この対応間隔は、懸濁物質濃縮排水中の懸濁物質が濾過膜部３の膜面に付着し目詰まりするおそれになる時間を基準として、懸濁物質濃縮排水のブロー開始直後における懸濁物質濃縮排水の濁度に応じた対応間隔として設定される。
【０１０９】
更に、前記開閉弁１１とブロー弁１３を開いている時間は、前記基本時間の他に懸濁物質濃縮排水のブロー開始直後における懸濁物質濃縮排水の濁度に応じて、対応時間が別途設定される。この対応時間は、懸濁物質濃縮排水のブロー開始直後における懸濁物質濃縮排水の濁度がブローによって低くなり一定となるのに要する時間を基準として、懸濁物質濃縮排水のブロー開始直後における懸濁物質濃縮排水の濁度に応じた対応時間として設定される。
【０１１０】
そして、前記のように、懸濁物質濃縮排水ブロー開始直後における懸濁物質濃縮排水の濁度を検知して、次の懸濁物質濃縮排水を強制循環させ懸濁物質濃縮排水をブローする一連の運転の間隔及び懸濁物質濃縮排水をブローする時間を、懸濁物質濃縮排水ブロー開始直後における懸濁物質濃縮排水の濁度に応じて設定された懸濁物質濃縮排水を強制循環させ懸濁物質濃縮排水をブローする一連の運転の対応間隔及び懸濁物質濃縮排水をブローする対応時間に変更するようになっている。
【０１１１】
上記のように構成した水処理システムにより、本発明に係る濾過膜部の目詰まり防止方法は次のように実施される。
【０１１２】
前記水処理システムの運転は、第１例と同様に、原水タンク１から被処理水をポンプ５の駆動により給水ライン２を通して濾過膜部３に供給し、濾過膜部３で濾過した処理水を貯留タンク４に貯留するようにして行われる。そして、濾過処理運転が所定時間経過すると、制御部１６が給水ライン２ａに配置した開閉弁１１、処理水ライン２ｂに配置された開閉弁１２、ブローライン７に配置されたブロー弁１３及び排水ライン８に配置された排水弁１４を所定時間閉じる閉指令信号と、ポンプ５を所定の回転数で駆動する駆動指令信号を出力し、かかる信号を受けて、開閉弁１１、開閉弁１２、ブロー弁１３及び排水弁１４が所定時間閉じて循環回路１０が構成され、ポンプ５が所定の回転数で駆動する。これにより、濾過膜部３で発生した懸濁物質濃縮排水は循環回路１０内で循環する。このように循環回路１０内で懸濁物質濃縮排水を強制循環させることにより、濾過膜部３の膜面に付着している懸濁物質は循環水の流速により膜面から剥離される。
【０１１３】
前記所定時間が経過すると、制御部１６が前記開閉弁１１とブロー弁１３を所定時間開く開指令信号を出力し、かかる信号を受けて開閉弁１１とブロー弁１３が開く。これにより、前記循環回路１０内で循環していた懸濁物質濃縮排水が原水タンク１から供給される被処理水で押し出されるようにしてブローライン７からブローされる。このようにして懸濁物質濃縮排水がブローされることにより、前記濾過膜部３の膜面から剥離された懸濁物質は懸濁物質濃縮排水とともにブローライン７から排出される。
【０１１４】
更に、前記開閉弁１１とブロー弁１３を開くことによりブローライン７を流れる懸濁物質濃縮排水のブロー開始直後における懸濁物質濃縮排水の濁度が濁度計１７により検知され、制御部１６が次にくる前記一連の信号による一連の動作を一括りとし該動作を行わせる間隔、及び前記開閉弁１１とブロー弁１３を開いている時間を、前記濁度計１７により検知された濁度に応じて設定された対応間隔及び対応時間に変更し、変更した対応間隔及び対応時間を指令する信号を出力する。そして、かかる信号を受けて、前記動作は、変更後の対応間隔及び対応時間に基づいて行われる。
【０１１５】
前記のように、循環回路１０を構成し、循環回路１０内で懸濁物質濃縮排水を強制循環させることにより、濾過膜部３の膜面に付着している懸濁物質を循環水の流速により膜面から容易に且つより確実に剥離することができ、この後、懸濁物質濃縮排水をブローすることにより、前記剥離された懸濁物質を懸濁物質濃縮排水とともに懸濁物質濃縮排水ライン６から排出することができるので、懸濁物質による濾過膜部３の目詰まりを早期に解消することができるものとなる。
【０１１６】
また、前記のように、濾過膜部３の膜面に付着している懸濁物質を膜面から剥離する際に被処理水を供給することなく、懸濁物質濃縮排水を循環させることにより膜面に付着している懸濁物質を剥離するので、ブロー用としての被処理水の排出量の小量化、即ち捨て水の節約を図ることができ、経済的である。
【０１１７】
更に、前記懸濁物質濃縮排水のブロー開始直後における懸濁物質濃縮排水の濁度を検知することにより、濾過膜部３の膜面への懸濁物質の付着度合いを知ることができ、該濁度に応じて、次の前記懸濁物質濃縮排水を強制循環させ懸濁物質濃縮排水をブローする一連の運転の間隔及び懸濁物質濃縮排水をブローする時間を変更することにより、濾過膜部３の膜面への懸濁物質の付着が極力少なくなり、懸濁物質による濾過膜部３の目詰まりを早期に解消することができるとともに、ブロー用としての被処理水の無駄な排出が防止でき、被処理水の排出量の小量化が図れる。
【図面の簡単な説明】
【０１１８】
【図１】本発明に係る逆浸透膜部の目詰まり防止方法を実施する水処理システムの一例を示す概略説明図。
【図２】本発明に係る逆浸透膜部の目詰まり防止方法を実施する水処理システムの他例を示す概略説明図。
【符号の説明】
【０１１９】
１  原水タンク
２  給水ライン
２ａ  給水ライン
２ｂ  処理水ライン
３  濾過膜部
４  貯留タンク
５  ポンプ
６  懸濁物質濃縮排水ライン
７  ブローライン
８  排水ライン
９  循環ライン
１０  循環回路
１１  開閉弁
１２  開閉弁
１３  ブロー弁
１４  排水弁
１５  インバーター
１６  制御部
１７  濁度計
【図１】
2006007131.tif 000003
【図２】
2006007131.tif 000004